(57)【要約】【課題】従来は、ハンドセットの内部に磁界発生器（あるいは永久磁石）を具備させる必要があるため、特殊なハンドセットを使用する必要があり、汎用のハンドセットが使用できず、また、電話機全体の価格が高いという問題がある。【解決手段】  ハンドセット受話器部に、動電型受話器ユニット１２を使用した電話機において、ハンドセット受話器受け部の内部に磁界検出回路１５が設けられると共に、インパルス信号を発生するインパルス信号発生回路１６と、インパルス信号をハンドセット受話信号に加算して動電型受話器ユニット１２に供給する加算回路２０と、排他的論理和回路１７が電話機本体１４内に設けられる。ハンドセット１１がオンフック状態のときにのみ磁界検出回路１５から出力される磁界検出信号がインパルス信号に同期しているので、排他的論理和回路１７の出力信号がローレベル一定のときのみオンフック状態とみなす。【選択図】            図１
2005167400.tif 000002
【特許請求の範囲】
【請求項１】
ハンドセット内に動電型の受話器ユニットを設けた電話機において、
電話機本体のハンドセット受話器受け部の内部に設けられた、前記動電型の受話器ユニットからの漏れ磁界を検出する磁界検出回路と、
前記電話機本体内に設けられた、インパルス状のインパルス信号を発生するインパルス信号発生回路と、
受話信号非入力時は前記インパルス信号発生回路から出力された前記インパルス信号のみを、受話信号入力時は該受話信号と前記インパルス信号との加算合成信号を、前記動電型の受話器ユニットへ供給する、前記電話機本体内に設けられた加算回路と、
前記磁界検出回路から出力された磁界検出信号と、前記インパルス信号発生回路から出力された前記インパルス信号とが互いに同期しているか否かを示す信号を出力する、前記電話機本体内に設けられた同期検出手段と
を有し、前記同期検出手段から同期していることを示す信号が出力される場合は前記ハンドセットがオンフック状態として検出し、同期していないことを示す信号が出力される場合は前記ハンドセットがオフフック状態として検出することを特徴とする電話機。
【請求項２】
前記同期検出手段は、前記磁界検出回路から出力された磁界検出信号と、前記インパルス信号発生回路から出力された前記インパルス信号とを入力信号として受け、これらの磁界検出信号及びインパルス信号が互いに同期しているときは第１の論理値が保持された信号を出力し、同期していないときには前記第１の論理値と第２の論理値に交互に変化する信号を出力する、前記電話機本体内に設けられた論理回路であることを特徴とする請求項１記載の電話機。
【請求項３】
前記インパルス信号発生回路は、前記動電型の受話器ユニットにより音響信号として出力できない高周波数のインパルス信号を発生することを特徴とする請求項１又は２記載の電話機。
【請求項４】
動電型の受話器ユニットを内部に有する電話機のハンドセットが、オンフック状態かオフフック状態かを検出するオン／オフフック状態検出方法であって、
受話信号非入力時はインパルス信号のみを、受話信号入力時は該受話信号と前記インパルス信号との加算合成信号を、前記動電型の受話器ユニットへ供給する第１のステップと、
電話機本体のハンドセット受話器受け部の内部に設けられた磁界検出回路により、前記動電型の受話器ユニットからの漏れ磁界を検出する第２のステップと、
前記磁界検出回路から出力された磁界検出信号と、前記インパルス信号とが互いに同期しているか否かを検出し、同期しているときは前記ハンドセットがオンフック状態として検出し、同期していないときは前記ハンドセットがオフフック状態として検出する第３のステップと
を含むことを特徴とする電話機ハンドセットのオン／オフフック状態検出方法。
【請求項５】
前記第３のステップは、前記磁界検出信号と前記インパルス信号とが互いに同期しているときは第１の論理値が保持された信号を出力し、同期していないときには前記第１の論理値と第２の論理値に交互に変化する信号を出力することを特徴とする請求項４記載の電話機ハンドセットのオン／オフフック状態検出方法。
【請求項６】
前記第１のステップにおいて前記動電型の受話器ユニットに供給する前記インパルス信号は、音響信号として出力できない高周波数のインパルス信号であることを特徴とする請求項４記載の電話機ハンドセットのオン／オフフック状態検出方法。
【発明の詳細な説明】
【技術分野】
【０００１】
本発明は電話機及び電話機ハンドセットのオン／オフフック状態検出方法に係り、特に電話機ハンドセットがオンフック状態かオフフック状態かを確実に検出する電話機ハンドセットのオン／オフフック状態検出方法に関する。
【背景技術】
【０００２】
従来より、電話機ハンドセットがオンフック状態かオフフック状態かを検出する電話機ハンドセットのオン／オフフック状態検出方法が知られている（例えば、特許文献１参照）。図２はこの従来の電話機ハンドセットのオン／オフフック状態検出方法の一例の構成図を示す。同図において、ハンドセット１の内部には、送話器ユニット２、受話器ユニット３及び磁界発生回路４が実装されている。一方、電話機本体５のハンドセット受話器受け部内には磁界検出回路６等が設けられている。
【０００３】
この従来方法では、端子８に入力される検出用パルスに同期した磁界が磁界発生回路４から発生されるようにされており、ハンドセット１がオンフック状態の時には、磁界発生回路４と磁界検出回路６とが最も近接しているため、上記の磁界を磁界検出回路６が検出して、上記の検出用パルスに同期した磁界検出信号が出力されるため、この磁界検出信号と上記の検出用パルスが供給される排他的論理和回路７の出力信号は、ローレベルとなる。これに対し、ハンドセット１がオフフック状態の時には、磁界発生回路４と磁界検出回路６とが離間することから、上記の磁界を磁界検出回路６が検出できず、磁界検出信号が出力されないため、排他的論理和回路７の出力信号は、検出用パルスと同様の波形となる。このようにして、端子９へ出力される排他的論理和回路７の出力信号の波形により、ハンドセット１がオンフック状態かオフフック状態かを検出することができる。
【０００４】
【特許文献１】特開平１-９１５５９号公報（第１図）
【発明の開示】
【発明が解決しようとする課題】
【０００５】
しかるに、上記の従来の電話機ハンドセットのオン／オフフック状態検出方法では、ハンドセット１の内部に磁界発生回路４（あるいは永久磁石）を具備させる必要があるため、特殊なハンドセットを使用する必要があり、汎用のハンドセットが使用できないという問題がある。また、ハンドセット１の内部に設けられる、磁界発生回路４（あるいは永久磁石）の価格が高いため、ハンドセット１の価格、ひいては電話機全体の価格が高いという問題がある。
【０００６】
本発明は上記の点に鑑みなされたもので、特殊なハンドセットを使用する必要がなく、汎用のハンドセットを使用した電話機でも、ハンドセットのオンフック／オフフックの状態を検出し得る電話機及び電話機ハンドセットのオン／オフフック状態検出方法を提供することを目的とする。
【０００７】
また、本発明の他の目的は、動電型受話器ユニットを使用した汎用的なハンドセットを利用することにより、安価な構成で、かつ、流用や転用等の資源の再利用性が可能な電話機及び電話機ハンドセットのオン／オフフック状態検出方法を提供することにある。
【課題を解決するための手段】
【０００８】
上記の目的を達成するため、本発明の電話機は、ハンドセット内に動電型の受話器ユニットを設けた電話機において、電話機本体のハンドセット受話器受け部の内部に設けられた、動電型の受話器ユニットからの漏れ磁界を検出する磁界検出回路と、電話機本体内に設けられた、インパルス状のインパルス信号を発生するインパルス信号発生回路と、受話信号非入力時はインパルス信号発生回路から出力されたインパルス信号のみを、受話信号入力時は受話信号とインパルス信号との加算合成信号を、動電型の受話器ユニットへ供給する、電話機本体内に設けられた加算回路と、磁界検出回路から出力された磁界検出信号と、インパルス信号発生回路から出力されたインパルス信号とが互いに同期しているか否かを示す信号を出力する、電話機本体内に設けられた同期検出手段とを有し、同期検出手段から同期していることを示す信号が出力される場合はハンドセットがオンフック状態として検出し、同期していないことを示す信号が出力される場合はハンドセットがオフフック状態として検出することを特徴とする。
【０００９】
この発明では、インパルス信号と受話信号との加算合成信号、又はインパルス信号を動電型の受話器ユニットへ供給することにより、受話器ユニットからインパルス信号に同期した漏れ磁界を発生させる。このインパルス信号に同期した漏れ磁界は、ハンドセットがオンフック状態にあるときにのみ磁界検出回路により検出され、ハンドセットがオフフック状態にあるときには磁界検出回路により検出されないため、磁界検出回路から出力される磁界検出信号が上記のインパルス信号に同期しているかどうかにより、ハンドセットがオンフック状態にあるのか、オフフック状態にあるのかを検出できる。
【００１０】
また、上記の目的を達成するため、本発明の電話機ハンドセットのオン／オフフック状態検出方法は、動電型の受話器ユニットを内部に有する電話機のハンドセットが、オンフック状態かオフフック状態かを検出するオン／オフフック状態検出方法であって、受話信号非入力時はインパルス信号のみを、受話信号入力時は受話信号とインパルス信号との加算合成信号を、動電型の受話器ユニットへ供給する第１のステップと、電話機本体のハンドセット受話器受け部の内部に設けられた磁界検出回路により、動電型の受話器ユニットからの漏れ磁界を検出する第２のステップと、磁界検出回路から出力された磁界検出信号と、インパルス信号とが互いに同期しているか否かを検出し、同期しているときはハンドセットがオンフック状態として検出し、同期していないときはハンドセットがオフフック状態として検出する第３のステップとを含むことを特徴とする。
【００１１】
この発明では、上記の本発明の電話機と同様に、動電型の受話器ユニットからインパルス信号に同期した漏れ磁界を発生させ、ハンドセットがオンフック状態にあるときにのみ磁界検出回路により検出させる。これにより、磁界検出回路から出力される磁界検出信号が上記のインパルス信号に同期しているかどうかにより、ハンドセットがオンフック状態にあるのか、オフフック状態にあるのかを検出できる。
【発明の効果】
【００１２】
本発明によれば、動電型の受話器ユニットからインパルス信号に同期した漏れ磁界を発生させ、ハンドセットがオンフック状態にあるときにのみ磁界検出回路により検出させることにより、磁界検出回路から出力される磁界検出信号が上記のインパルス信号に同期しているかどうかにより、ハンドセットがオンフック状態にあるのか、オフフック状態にあるのかを検出するようにしたため、特殊なハンドセットを使用する必要がなく、動電型の受話器ユニットを有する汎用的で安価なハンドセットを使用した電話機であれば、ハンドセットのオンフック／オフフックの状態を検出することができ、また、保守性を向上できる。
【００１３】
また、本発明によれば、動電型受話器ユニットを使用した汎用的なハンドセットを利用するようにしたため、流用や転用等の資源の再利用性ができる。
【発明を実施するための最良の形態】
【００１４】
次に、本発明を実施するための最良の形態について図面を参照して詳細に説明する。図１は本発明になる電話機の一実施の形態の構成図を示す。同図において、電話機のハンドセット１１の内部には動電型の受話器ユニット１２と送話器ユニット１３が実装されている。動電型の受話器ユニット１２の構成自体は公知であり（例えば、特開平４−２８８７５３号公報）、かかる動電型の受話器ユニット１２を有するハンドセット１１は、現在一般的に使用されている汎用的で安価なハンドセットである。
【００１５】
一方、電話機本体１４のハンドセット受け部の内部には、オンフック状態にあるときのハンドセット１１内の受話器ユニット１２に対向する位置に設けられた磁界検出回路１５と、高周波数（一般的には１０ｋＨｚ以上の周波数）のインパルス状の信号（インパルス信号）を発生するインパルス信号発生回路１６と、２入力排他的論理和回路１７と、オン／オフフック状態検出信号出力端子１８と、受話信号増幅器１９と、加算回路２０とが設けられている。２入力排他的論理和回路１７は、磁界検出回路１５から出力された磁界検出信号と、インパルス信号発生回路１６から出力されたインパルス信号との排他的論理和演算を行う。加算回路２０は、受話信号増幅器１９から出力された受話信号と上記のインパルス信号とを加算合成してハンドセット１１内の受話器ユニット１２へ出力する。
【００１６】
次に、本実施の形態の動作について説明する。加算回路２０から受話信号増幅器１９で増幅された受話信号とインパルス信号発生回路１６で発生されたインパルス信号との加算合成信号が取り出され、ハンドセット１１内の動電型の受話器ユニット１２に供給される。なお、受話信号が入力されないときには、加算回路２０からはインパルス信号発生回路１６で発生されたインパルス信号のみが取り出され、ハンドセット１１内の動電型の受話器ユニット１２に供給される。
【００１７】
ここで、本実施の形態では、一般的に使用される動電型の受話器ユニットの漏れ磁界特性と音響特性を利用している。すなわち、動電型の受話器ユニット１２に高周波数信号であるインパルス信号が供給された場合、音響信号出力は殆ど発生しないのに対し、漏れ磁界出力は、高周波信号であるインパルス信号に比例して発生する。
【００１８】
また、受話信号（一般的に４ｋＨｚ以下）と、インパルス信号を加算して動電型の受話器ユニット１２に印加した場合、音響信号出力としては受話信号成分のみが出力され、インパルス信号成分は出力されない。従って、上記のように、加算回路２０によりインパルス信号を受話信号に加算合成して動電型の受話器ユニット１２に供給すると、動電型の受話器ユニット１２は受話信号成分の音響信号を発生すると共に、インパルス信号成分に対応した漏れ磁界を発生するため、音響信号出力には影響せず、漏れ磁界を磁界検出回路１５により検出させることができる。これにより、磁界検出回路１５により検出された漏れ磁界の検出信号を、ハンドセット１１のオン／オフフック状態検出信号として使うことができる。
【００１９】
ハンドセット１１がオンフック状態にあれば、動電型の受話器ユニット１２と磁界検出回路１５との間の距離が最も近接した状態にあるため、加算回路２０からインパルス信号が印加される動電型の受話器ユニット１２から発生されたインパルス信号成分に対応した漏れ磁界が磁界検出回路１５により検出され、インパルス信号に同期した漏れ磁界検出信号が出力される。この漏れ磁界検出信号は、インパルス信号発生回路１６からのインパルス信号と共に排他的論理和回路１７に供給される。
【００２０】
ここで、漏れ磁界検出信号とインパルス信号とは互いに同期しており、同相で同様の波形であるため、排他的論理回路１７から出力端子１８へ出力されるハンドセット１１のオン／オフフック状態検出信号は、常にローレベルとなる。つまり、オン／オフフック状態検出信号出力端子１８が、ローレベル状態が保持されている時は、オンフック状態であることがわかる。
【００２１】
これに対し、ハンドセット１１がオフフック状態であるときは、動電型の受話器ユニット１２と磁界検出回路１５との間の距離が所定距離以上離間した状態にあるため、磁界検出回路１５は動電型の受話器ユニット１２から発生されたインパルス信号成分に対応した漏れ磁界を検出することができず、よってインパルス信号に同期した漏れ磁界検出信号が出力されない。また、ハンドセット１１がオフフック状態であるときに、受話器ユニット１２以外からの磁界が磁界検出回路１５により検出された場合は、磁界検出回路１５から磁界検出信号が出力されるが、この磁界検出信号は、インパルス信号発生回路１６からのインパルス信号とは同期しない。
【００２２】
すなわち、ハンドセット１１がオフフック状態であるときは、磁界検出回路１５は動電型の受話器ユニット１２から発生された漏れ磁界を検出できないか、この漏れ磁界以外の他の磁界を検出するが、いずれの場合も、インパルス信号発生回路１６のインパルス信号に同期しない磁界検出信号が磁界検出回路１５から出力されるため、排他的論理回路１７から出力端子１８へ出力されるハンドセット１１のオン／オフフック状態検出信号は、ローレベルを保持しない、ハイレベルとローレベルとが交互に現れる信号となる。従って、オン／オフフック状態検出信号出力端子１８が、ローレベル一定でない時（ハイレベルとローレベルとが交互に現れる時）は、オフフック状態であることがわかる。
【００２３】
このように、本実施の形態によれば、高価で特殊なハンドセットではなく、動電型の受話器ユニット１２を有する汎用的なハンドセットを有する電話機であれば、どのような電話機であってもハンドセットのオン／オフフック状態を検出することができる。また、ハンドセット１１は、動電型の受話器ユニット１２を有する汎用的なハンドセットであるので、流用、転用が可能であり資源の再利用が可能である。
【図面の簡単な説明】
【００２４】
【図１】本発明の一実施の形態の構成図である。
【図２】従来の一例の構成図である。
【符号の説明】
【００２５】
１１  ハンドセット
１２  動電型の受話器ユニット
１３  送話器ユニット
１４  電話機本体
１５  磁界検出回路
１６  インパルス信号発生回路
１７  排他的論理回路
１８  オン／オフフック状態検出信号出力端子
１９  受話信号増幅器
２０  加算回路
【図１】
2005167400.tif 000003
【図２】
2005167400.tif 000004